(57)【要約】【課題】  記憶部に格納するＲＦＩＤに名前を対応付けて管理し、名前に基づくＩＤの検索、取得、出力を可能とした構成を提供する。【解決手段】  記憶部に格納するＲＦＩＤに対して、数値、アルファベット、カナ漢字などユーザの選択した名前を設定してＩＤに対応付けて管理する。本構成により、例えば表示部にＲＦＩＤの名前リストを表示し、リストに基づいてユーザが任意のＲＦＩＤを出力対象として選択するなどの処理が可能となる。また、記憶部においてフォルダ単位のＲＦＩＤ管理を行なう構成としたので、カテゴリ別など、ユーザの理解しやすいフォルダを設定することで必要なＩＤの検索、取得、出力が効率的に実行できる。【選択図】  図７
2005322132.tif 000002
【特許請求の範囲】
【請求項１】
ＲＦＩＤ管理処理を実行する情報処理装置であり、
外部からＲＦＩＤを入力するＲＦＩＤ入力部と、
前記ＲＦＩＤ入力部を介して入力するＲＦＩＤを格納する記憶部と、
前記記憶部に格納されるＲＦＩＤに対する名前設定処理を実行し、設定した名前とＲＦＩＤとを対応付けて前記記憶部に格納する処理を実行する制御部と、
を有することを特徴とする情報処理装置。
【請求項２】
前記情報処理装置は、さらに、
ＲＦＩＤに対する名前入力処理実行画面を表示する表示部と、
ユーザの入力による名前情報を入力する入力部とを有し、
前記制御部は、
前記入力部を介して入力された名前情報を、前記記憶部に格納されるＲＦＩＤに対する名前として対応付けて前記記憶部に格納する処理を実行する構成であることを特徴とする請求項１に記載の情報処理装置。
【請求項３】
前記記憶部は、ＲＦＩＤを格納するフォルダを有し、フォルダ単位でのＲＦＩＤ記憶構成を持ち、
前記制御部は、
外部入力したＲＦＩＤの記憶部に対する格納処理において、記憶部に設定されたフォルダを選択し、選択したフォルダに対するＲＦＩＤ格納処理を実行する構成であることを特徴とする請求項１に記載の情報処理装置。
【請求項４】
前記情報処理装置は、さらに、
前記記憶部に設定されたフォルダ情報を表示部に表示し、入力部から入力されたユーザ入力情報に基づいて、フォルダの選択処理を実行する構成であることを特徴とする請求項３に記載の情報処理装置。
【請求項５】
前記情報処理装置は、さらに、
ＲＦＩＤを外部出力するＲＦＩＤ出力部を有し、
前記記憶部に設定されたフォルダ情報を表示部に表示し、入力部から入力されたユーザ入力情報に基づいて、出力対象のＩＤを格納したフォルダの選択処理を実行する構成であることを特徴とする請求項３に記載の情報処理装置。
【請求項６】
前記情報処理装置は、
複数の出力ＩＤ格納メモリを有し、
前記表示部は、出力ＩＤの格納先として選択可能な出力ＩＤ格納先のメモリ状況を示す情報表示を行なう構成であることを特徴とする請求項５に記載の情報処理装置。
【請求項７】
ＲＦＩＤ管理処理を実行する情報処理方法であり、
外部からＲＦＩＤを入力するＲＦＩＤ入力ステップと、
入力するＲＦＩＤを記憶部に格納する記憶ステップと、
前記記憶部に格納されるＲＦＩＤに対する名前設定処理を実行し、設定した名前とＲＦＩＤとを対応付けて前記記憶部に格納する処理を実行する名前対応付けステップと、
を有することを特徴とする情報処理方法。
【請求項８】
前記情報処理方法は、さらに、
ＲＦＩＤに対する名前入力処理実行画面を表示する表示ステップと、
ユーザの入力による名前情報を入力する入力ステップとを有し、
前記名前対応付けステップは、
入力された名前情報を、前記記憶部に格納されるＲＦＩＤに対する名前として対応付けて前記記憶部に格納する処理を実行するステップであることを特徴とする請求項７に記載の情報処理方法。
【請求項９】
前記記憶部は、ＲＦＩＤを格納するフォルダを有し、フォルダ単位でのＲＦＩＤ記憶構成を持ち、
前記情報処理方法は、さらに、
外部入力したＲＦＩＤの記憶部に対する格納処理において、記憶部に設定されたフォルダを選択し、選択したフォルダに対するＲＦＩＤ格納処理を実行するステップを有することを特徴とする請求項７に記載の情報処理方法。
【請求項１０】
前記情報処理方法は、さらに、
前記記憶部に設定されたフォルダ情報を表示部に表示し、入力部から入力されたユーザ入力情報に基づいて、フォルダの選択処理を実行するステップを含むことを特徴とする請求項９に記載の情報処理方法。
【請求項１１】
前記情報処理方法は、さらに、
前記記憶部に設定されたフォルダ情報を表示部に表示し、入力部から入力されたユーザ入力情報に基づいて、出力対象のＩＤを格納したフォルダの選択処理を実行するステップと、
選択されたフォルダの格納ＲＦＩＤを外部出力するＲＦＩＤ出力ステップと、
を有することを特徴とする請求項９に記載の情報処理方法。
【請求項１２】
前記情報処理方法は、さらに、
前記表示部は、出力ＩＤの格納先として選択可能な出力ＩＤ格納先のメモリ状況を示す情報表示を行なうステップを有することを特徴とする請求項１１に記載の情報処理方法。
【請求項１３】
ＲＦＩＤ管理処理を実行するコンピュータ・プログラムであり、
外部からＲＦＩＤを入力するＲＦＩＤ入力ステップと、
入力するＲＦＩＤを記憶部に格納する記憶ステップと、
前記記憶部に格納されるＲＦＩＤに対する名前設定処理を実行し、設定した名前とＲＦＩＤとを対応付けて前記記憶部に格納する処理を実行する名前対応付けステップと、
を有することを特徴とするコンピュータ・プログラム。
【発明の詳細な説明】
【技術分野】
【０００１】
本発明は、情報処理装置、および情報処理方法、並びにコンピュータ・プログラムに関する。さらに、詳細には、記憶手段に１つ以上のＲＦＩＤ(Radio Frequency Identification)を格納し、これらのＩＤに対してユーザの設定した任意の名前を対応付けて管理することで、名前に基づくＩＤ管理と、出力時の選択を効率的に行なうことを可能とした情報処理装置、および情報処理方法、並びにコンピュータ・プログラムに関する。
【背景技術】
【０００２】
ＲＦＩＤ(Radio Frequency Identification)は、近年、物流過程などで荷物の識別などに利用されている。ＲＦＩＤは、タグとリーダとから構成されるシステムで、タグに格納された情報をリーダで非接触に読み取るシステムである。タグとリーダ間の通信方法には、電磁結合方式、電磁誘導方式、電波通信方式などが挙げられる。
【０００３】
ＲＦＩＤタグは、固有の識別情報（ＩＤ）を含んだデバイスであり、例えば特定周波数の電波を受信したことに応答して識別情報に相当する変調周波数の電波を発振する動作特性を持ち、読み取り装置（リーダ）側でＲＦＩＤタグの発振周波数を基にそれが何であるかを特定することができる。したがって、ＲＦＩＤを用いたシステムでは、ＲＦＩＤタグに書き込まれている固有のＩＤを利用して、物品の判別や所有者の判別などを行なうことができる。現在、ＲＦＩＤシステムは、入退室を管理するシステムや、物流における物品識別システム、食堂などでの料金清算のシステム、ＣＤやソフトウェアなどの販売店での無断持ち出し防止システムなど、多数のシステムで利用されている。
【０００４】
ＲＦＩＤシステムの具体的構成としては、例えば、送受信及びメモリ機能を備えたＩＣチップと、該チップの駆動源と、アンテナとをパッケージ化した小型無線識別装置が利用される。この無線識別装置により、物品などに関するさまざまのデータをアンテナ経由でＩＣチップの受信手段に送信し、その出力をメモリに蓄積しておくとともに、必要に応じてメモリ内のデータを読み出して、アンテナを介して無線で外部に供給する。このようなＲＦＩＤシステムにより物品などの存在や位置を迅速且つ容易に確認したり追跡したりすることが可能となる。
【０００５】
ＲＦＩＤシステムを開示した従来技術としては、例えば、以下に示す文献がある。特許文献１は、展示会などでパンフレットの選択的配布をＲＦＩＤを適用して実現したパンフレット配布システムを開示している。また、特許文献２は、ＲＦＩＤを用いた代表的な例である物流管理システムでの利用方法や、ＲＦＩＤを用いた交通手段の運行手段管理システム、さらに目的地への道案内情報の提供システムなどのＲＦＩＤ利用例を開示している。また、特許文献３には、ＲＦＩＤの１２８ビットデータにどのような意味を付与するか、またメモリへの割り付け方法などについて開示している。
【０００６】
しかし、これまでに開示されているＲＦＩＤの利用構成は、それぞれ個別の商品などの固有物に対して予め定められたＩＤを格納し、このＩＤの出力情報をリーダ側で読み取り、識別処理に利用するという構成であり、例えば様々なＲＦＩＤを識別可能な態様で管理しまた利用するといった構成について開示しているものはない。
【特許文献１】特開２００３−３０８３７９号公報
【特許文献２】特開２００３−２３６６６号公報
【特許文献３】特開２００３−３０８４２９号公報
【発明の開示】
【発明が解決しようとする課題】
【０００７】
本発明は、このような状況に鑑みてなされたものであり、ユーザの利用する例えば携帯情報端末のような情報処理装置の記憶部に複数のＲＦＩＤを記憶し、これらのＩＤをユーザが識別可能に管理し、また自在に選択して出力するなど、ＲＦＩＤの利用管理構成を実現する情報処理装置、および情報処理方法、並びにコンピュータ・プログラムを提供することを目的とするものである。
【課題を解決するための手段】
【０００８】
本発明の第１の側面は、
ＲＦＩＤ管理処理を実行する情報処理装置であり、
外部からＲＦＩＤを入力するＲＦＩＤ入力部と、
前記ＲＦＩＤ入力部を介して入力するＲＦＩＤを格納する記憶部と、
前記記憶部に格納されるＲＦＩＤに対する名前設定処理を実行し、設定した名前とＲＦＩＤとを対応付けて前記記憶部に格納する処理を実行する制御部と、
を有することを特徴とする情報処理装置にある。
【０００９】
さらに、本発明の情報処理装置の一実施態様において、前記情報処理装置は、さらに、ＲＦＩＤに対する名前入力処理実行画面を表示する表示部と、ユーザの入力による名前情報を入力する入力部とを有し、前記制御部は、前記入力部を介して入力された名前情報を、前記記憶部に格納されるＲＦＩＤに対する名前として対応付けて前記記憶部に格納する処理を実行する構成であることを特徴とする。
【００１０】
さらに、本発明の情報処理装置の一実施態様において、前記記憶部は、ＲＦＩＤを格納するフォルダを有し、フォルダ単位でのＲＦＩＤ記憶構成を持ち、前記制御部は、外部入力したＲＦＩＤの記憶部に対する格納処理において、記憶部に設定されたフォルダを選択し、選択したフォルダに対するＲＦＩＤ格納処理を実行する構成であることを特徴とする。
【００１１】
さらに、本発明の情報処理装置の一実施態様において、前記情報処理装置は、さらに、前記記憶部に設定されたフォルダ情報を表示部に表示し、入力部から入力されたユーザ入力情報に基づいて、フォルダの選択処理を実行する構成であることを特徴とする。
【００１２】
さらに、本発明の情報処理装置の一実施態様において、前記情報処理装置は、さらに、ＲＦＩＤを外部出力するＲＦＩＤ出力部を有し、前記記憶部に設定されたフォルダ情報を表示部に表示し、入力部から入力されたユーザ入力情報に基づいて、出力対象のＩＤを格納したフォルダの選択処理を実行する構成であることを特徴とする。
【００１３】
さらに、本発明の情報処理装置の一実施態様において、前記情報処理装置は、複数の出力ＩＤ格納メモリを有し、前記表示部は、出力ＩＤの格納先として選択可能な出力ＩＤ格納先のメモリ状況を示す情報表示を行なう構成であることを特徴とする。
【００１４】
さらに、本発明の第２の側面は、
ＲＦＩＤ管理処理を実行する情報処理方法であり、
外部からＲＦＩＤを入力するＲＦＩＤ入力ステップと、
入力するＲＦＩＤを記憶部に格納する記憶ステップと、
前記記憶部に格納されるＲＦＩＤに対する名前設定処理を実行し、設定した名前とＲＦＩＤとを対応付けて前記記憶部に格納する処理を実行する名前対応付けステップと、
を有することを特徴とする情報処理方法にある。
【００１５】
さらに、本発明の情報処理方法の一実施態様において、前記情報処理方法は、さらに、ＲＦＩＤに対する名前入力処理実行画面を表示する表示ステップと、ユーザの入力による名前情報を入力する入力ステップとを有し、前記名前対応付けステップは、入力された名前情報を、前記記憶部に格納されるＲＦＩＤに対する名前として対応付けて前記記憶部に格納する処理を実行するステップであることを特徴とする。
【００１６】
さらに、本発明の情報処理方法の一実施態様において、前記記憶部は、ＲＦＩＤを格納するフォルダを有し、フォルダ単位でのＲＦＩＤ記憶構成を持ち、前記情報処理方法は、さらに、外部入力したＲＦＩＤの記憶部に対する格納処理において、記憶部に設定されたフォルダを選択し、選択したフォルダに対するＲＦＩＤ格納処理を実行するステップを有することを特徴とする。
【００１７】
さらに、本発明の情報処理方法の一実施態様において、前記情報処理方法は、さらに、前記記憶部に設定されたフォルダ情報を表示部に表示し、入力部から入力されたユーザ入力情報に基づいて、フォルダの選択処理を実行するステップを含むことを特徴とする。
【００１８】
さらに、本発明の情報処理方法の一実施態様において、前記情報処理方法は、さらに、前記記憶部に設定されたフォルダ情報を表示部に表示し、入力部から入力されたユーザ入力情報に基づいて、出力対象のＩＤを格納したフォルダの選択処理を実行するステップと、選択されたフォルダの格納ＲＦＩＤを外部出力するＲＦＩＤ出力ステップと、を有することを特徴とする。
【００１９】
さらに、本発明の情報処理方法の一実施態様において、前記情報処理方法は、さらに、前記表示部は、出力ＩＤの格納先として選択可能な出力ＩＤ格納先のメモリ状況を示す情報表示を行なうステップを有することを特徴とする。
【００２０】
さらに、本発明の第３の側面は、
ＲＦＩＤ管理処理を実行するコンピュータ・プログラムであり、
外部からＲＦＩＤを入力するＲＦＩＤ入力ステップと、
入力するＲＦＩＤを記憶部に格納する記憶ステップと、
前記記憶部に格納されるＲＦＩＤに対する名前設定処理を実行し、設定した名前とＲＦＩＤとを対応付けて前記記憶部に格納する処理を実行する名前対応付けステップと、
を有することを特徴とするコンピュータ・プログラムにある。
【００２１】
なお、本発明のコンピュータ・プログラムは、例えば、様々なプログラム・コードを実行可能なコンピュータ・システムに対して、コンピュータ可読な形式で提供する記憶媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２２】
本発明のさらに他の目的、特徴や利点は、後述する本発明の実施例や添付する図面に基づくより詳細な説明によって明らかになるであろう。なお、本明細書においてシステムとは、複数の装置の論理的集合構成であり、各構成の装置が同一筐体内にあるものには限らない。
【発明の効果】
【００２３】
本発明の構成によれば、記憶部に格納するＲＦＩＤに対して、数値、アルファベット、カナ漢字などユーザの選択した名前を設定してＩＤに対応付けて管理する構成としたので、例えば複数の異なるＲＦＩＤを記憶部に格納する場合に、効率的に必要なＩＤを選択して出力するなどの処理が可能となる。例えば、表示部に記憶部に格納したＲＦＩＤの名前情報からなるリストを表示し、リストに基づいてユーザが任意のＲＦＩＤを出力対象として選択するなどの処理が可能となる。
【００２４】
また、本発明の構成によれば、記憶部にフォルダを作成してフォルダ単位でのＲＦＩＤの記憶管理を行なう構成としたので、例えばカテゴリ別など、ユーザの理解しやすいフォルダを設定しＲＦＩＤの管理を行なうことで、必要なＩＤの検索、取得、出力を効率的に行なうことが可能となる。
【発明を実施するための最良の形態】
【００２５】
以下、図面を参照しながら本発明の情報処理装置、および情報処理方法、並びにコンピュータ・プログラムの詳細について説明する。
【００２６】
まず、図１および図２を参照して本発明の情報処理装置の構成について説明する。本発明の情報処理装置は、様々な商品等の固有物から識別子（ＲＦＩＤ）を取得し記憶部に格納し、記憶部に格納したＲＦＩＤ群から選択したＲＦＩＤを出力する構成を持つ。これは例えばユーザの持ち運び可能な携帯情報端末として実現可能である。なお、ＲＦＩＤ(Radio Frequency Identification)は、前述したように、タグとリーダとの間で識別情報を送受信する際に適用されるＩＤであり、タグとリーダ間の通信方法には、電磁結合方式、電磁誘導方式、電波通信方式などが挙げられる。本発明においては、利用する通信方法については特に限定しない。
【００２７】
図１に示す本発明の情報処理装置としての携帯情報端末１００は、ＣＰＵなどからなる制御部１０１、液晶表示装置などからなる表示部１０２、外部から入力した様々な商品等の識別子（ＩＤ）を格納し、また、制御部１０１によって実行されるプログラムを格納する情報記憶部１０３、外部のＲＦＩＤリーダなどの情報端末に対して情報記憶部１０３に格納したＩＤから選択したＩＤを出力するＲＦＩＤ出力部１０４、ユーザの操作情報を入力する入力部１０５、外部の情報処理装置、あるいはＲＦＩＤタグなどからＩＤ情報を入力するＩＤ入力部１０６、ネットワークを介して接続されるサーバなどとの通信を実行する通信部１０７を有する。なお、ＲＦＩＤ出力部１０４には、情報記憶部１０３に格納したＩＤから選択した出力用ＩＤを一時的に格納する出力ＩＤ格納部１０８を有する。
【００２８】
記憶部１０３に格納された様々な商品など固有物対応のＩＤは、制御部１０１の制御により、液晶表示装置などからなる表示部１０２に表示し、確認することができる。
【００２９】
図１に示す構成は、１つのＲＦＩＤ出力部１０４を有する構成であるが、複数のＲＦＩＤ出力部を有する携帯情報端末１００の構成を図２に示す。
【００３０】
図２は、複数のＲＦＩＤ出力部１０４−１〜ｎを有する構成である。本発明の情報処理装置の情報記憶部１０３には、複数の異なる固有物に対応するＩＤ情報が格納可能であり、ユーザが出力対象として設定したＩＤを複数のＲＦＩＤ出力部１０４−１〜ｎのいずれかの出力ＩＤ格納部１０８−１〜ｎに格納し、これらの格納ＩＤを選択的に出力することができる。
【００３１】
図１の単一のＲＦＩＤ出力部１０４を有する構成においても、ＲＦＩＤ出力部１０４に対応して設定された出力ＩＤ格納部１０８のＩＤ書き換え処理を実行することによって、外部出力ＩＤを選択して自在に出力することが可能であるが、図２のように、複数のＲＦＩＤ出力部１０４−１〜ｎを有する構成では、予め複数の異なるＩＤを複数のＲＦＩＤ出力部１０４−１〜ｎに対応する出力ＩＤ格納部１０８−１〜ｎに格納し、この出力部の選択を行なうのみで、外部に出力するＩＤの選択が可能となり、複数の異なるＩＤを連続して外部出力する際に書き換え処理が省略可能となる。
【００３２】
携帯情報端末１００によるＲＦＩＤの送受信構成について、図３を参照して説明する。前述したように、携帯情報端末１００は、例えば商品などの固有物の識別データとしてＲＦＩＤを入力し、また出力する構成を持つ。図３は、外部の情報処理装置２００と、携帯情報端末１００との間でＲＦＩＤ通信処理を行なう場合の処理および外部の情報処理装置２００の構成を説明する図である。
【００３３】
情報処理装置２００は、データ処理制御部としてのＣＰＵ２０１、ＲＦＩＤ入出力インタフェース２０２、ＲＦＩＤ入出力制御部２０３、復調部２０４、変調部２０５を有する。復調部２０４は、アンテナを介して携帯情報端末１００から入力したＩＤデータをデジタルデータに変換し、ＲＦＩＤ入出力インタフェース２０２を介してデータ処理制御部としてのＣＰＵ２０１に渡し、ＣＰＵ２０１の制御の下に図示しない記憶部に格納される。あるいは図示しない通信部を介してネットワークを介して外部のサーバに出力する処理などが実行される。
【００３４】
また、情報処理装置２００から携帯情報端末１００に対してＩＤを出力する場合は、情報処理装置２００のＣＰＵ２０１は、図示しない記憶部からＩＤを取り出して、変調部２０５において、変調処理を実行し変調データをアンテナを介して出力する。アンテナを介して出力された変調データが携帯情報端末１００のＩＤ入力部１０６（図１、図２参照）に入力され、携帯情報端末１００のＩＤ入力部１０６においてデジタルデータに変換された後、情報記憶部１０３に記憶される。
【００３５】
携帯情報端末１００は、ＩＤ入力部１０６を介してＲＦＩＤを入力し、入力した識別子（ＩＤ）を情報記憶部１０３（図１，図２参照）に格納する。なお、ＲＦＩＤには、製品の詳細情報、製品問い合わせ先のＵＲＬ情報、製品番号などの情報が含まれている。
【００３６】
次に、図４を参照して、携帯情報端末１００に外部からＲＦＩＤを入力し、情報記憶部１０３（図１、図２参照）に格納する処理シーケンスについて説明する。
【００３７】
ステップＳ１０１において、携帯情報端末１００のＩＤ入力部１０６（図１、図２参照）を介して例えば商品に付与されたＲＦＩＤタグや、外部情報処理装置からＲＦＩＤを入力する。ステップＳ１０２において入力の失敗と判定された場合は、リトライを繰り返し、成功確認の後、ステップＳ１０３において、取得ＩＤを情報記憶部１０３に格納する。
【００３８】
ステップＳ１０４において実行するＩＤの取得完了通知処理は、たとえば表示部１０２（図１、図２参照）に取得完了メッセージを表示するなどの処理や、携帯情報端末１００にＬＥＤランプを装着し、ＬＥＤランプの発光、消灯などによって通知する処理によって行なわれる。次に、ステップＳ１０５において、取得ＩＤにユニークな名前を割り当てて、ステップＳ１０６でＩＤの読み取り、記憶処理を終了する。
【００３９】
ステップＳ１０５における取得ＩＤに対するユニークな名前の割り当ては、制御部１０１の処理によって、シーケンスナンバーを割り当てる構成としてもよいが、本発明の構成においては、ユーザが識別可能な独自の名前を設定する構成としてある。
【００４０】
ユーザによる名前設定例について図５を参照して説明する。図５は、携帯情報端末１００に入力され記憶部に格納されたＩＤリストを示す図である。ＩＤリストには、外部から入力したＩＤと、シーケンスＮｏ．、さらに、ユーザによって設定された名前が対応付けて記録可能な構成を持つ。ユーザによって設定される名前は、英数字、カナ漢字などによって構成される。
【００４１】
シーケンスＮｏ．は、入力ＩＤ順に従って自動的に設定されるデータであり、名前は、ユーザが独自に設定した名前である。ユーザは、情報記憶部１０３に格納されたＩＤリストを表示部１０２に表示し、自由な名前を入力部１０５を介して入力して登録することができる。例えば、図に示すように、シーケンスＮｏ．１のＩＤに対しては「ａ社ディスプレイ」、シーケンスＮｏ．２のＩＤに対しては「ａｂｃ文庫本」、シーケンスＮｏ．３のＩＤに対しては「２００６」など、ユーザが商品を識別することが可能な名前を設定してＩＤに対応付けて格納することができる
【００４２】
入力ＩＤに対するユーザによる名前割り付け処理の詳細について、図６のフローチャートおよび図７の表示画面遷移図を参照して説明する。図７は、携帯情報端末１００の情報記憶部１０３に格納するＲＦＩＤに対する名前割り当て処理を実行する際に携帯情報端末１００の表示部１０２に表示される画面例を示している。
【００４３】
まず、ＲＦＩＤの読み取り開始前に図７に示す表示画面３０１が表示され、ユーザが入力部を介してＲＦＩＤ読み取り処理の選択実行操作を行なうと、表示画面３０２に遷移し、ＩＤの読み取り実行の承認［はい］を操作することで、ＩＤの読み取りが開始される。ＩＤの読み取り実行中の画面が表示画面３０３である。
【００４４】
ＩＤの読み取りが終了すると、表示画面３０４が表示される。この表示は、図４のフローにおけるステップＳ１０４のＩＤ取得完了通知に相当する。
【００４５】
次に、図７に示す表示画面３０５が提示される。これが、図６のフローチャートのステップＳ１５１の名前入力ＧＵＩ表示に相当する。次にステップＳ１５２において、ＩＤに対する名前割り当て、すなわち名前関連付けを行なうか否かの入力情報を判断する。ユーザが、取得ＩＤに対して名前を割り付ける処理を実行する場合は、表示画面３０５の［はい］を操作する。［いいえ］を操作した場合はメニュー画面３０１に戻る（図６のフローのステップＳ１５２のＮｏに相当）。
【００４６】
一方、表示画面３０５の［はい］を操作すると表示画面３０６に移行する。この処理は、図６のフローのステップＳ１５２のＹｅｓに相当し、ステップＳ１５３に進み、名前一覧表示を実行するか否かをユーザ入力に基づいて判定する。このとき、表示部には、図７の表示画面３０６が表示される。ユーザが、登録済みの名前の表示を希望する場合は、表示画面３０６の［はい］を操作する。この処理により表示画面３０７、すなわち登録済みの名前一覧リストが表示され、ユーザは取得したＩＤに対応する名前をこれらから選択して割り付けることができる。この処理は、図６のフローチャートにおいて、ステップＳ１５３の名前一覧表示実行でＹｅｓ、ステップＳ１５４の名前一覧から選択実行でＹｅｓの処理に相当する。
【００４７】
名前一覧表示を実行しない場合（ステップＳ１５３：Ｎｏ）、あるいは名前一覧表示を実行し（ステップＳ１５３：Ｙｅｓ）、名前一覧から選択することをやめた場合（ステップＳ１５４：Ｎｏ）は、図７に示す名前入力を実行する表示画面３０８が表示される。なお、図７の表示画面３０８には数値のみの入力キーを示してあるが、アルファベット、カナ漢字の入力キーも提示され、これらのキーによる任意の文字または数字列を名前として設定できる。
【００４８】
ユーザは、この名前入力用の表示画面３０８を介して取得ＩＤに対する名前を入力する。この処理は、図６のフローのステップＳ１５６の処理に相当する。表示画面３０８において名前を入力すると、表示画面３０９が提示され、［はい］を操作することで、入力した名前が取得ＩＤに対応する名前として登録される。図６のフローのステップＳ１５７において名前入力終了と判定されると、ステップＳ１５８に進み、取得ＩＤに対応する名前の割り当て処理が完了する。登録情報は、例えば、先に図６を参照して説明したＩＤリストとして情報記憶部１０３に格納される。図７の表示画面３０９に示す例では、［２００６］という数値データがＩＤ対応の名前として設定された例を示している。なお、表示画面３０７において、ユーザが既登録の名前から選択して登録することも可能であり、「プリンタ」、［パソコン］などの名前を選択して登録することもできる。
【００４９】
次に、外部から入力するＲＦＩＤを情報記憶部１０３に格納する際、特定のフォルダにＩＤを格納して管理する構成例について説明する。情報記憶部１０３には、図８に示すように、外部から入力したＩＤを格納するフォルダ３２１，３２２を設定してこれらのフォルダに、例えばカテゴリ毎にＩＤを格納する構成とすることができる。
【００５０】
フォルダの作成処理について図９を参照して説明する。図９は、本発明の情報処理装置の一例としての携帯情報端末１００が、外部から取得したＲＦＩＤを格納するフォルダを生成する際、表示部１０２に表示される表示画面の遷移を示す図である。
【００５１】
まず、メニュー画面４０１においてフォルダ作成を選択すると、表示画面４０２が示され、ユーザは入力部１０５を介して、数値、アルファベット、などの文字列からなるフォルダ名を入力する。入力が完了すると、表示画面４０３が示されフォルダ作成の問い合わせに対して［はい］を操作することで、ＲＦＩＤ格納用のフォルダが作成される。
【００５２】
これらのフォルダをユーザが選択して、外部から入力するＲＦＩＤを格納することが可能であり、この場合には、入力ＩＤを格納するフォルダの決定処理の後、先に図４を参照して説明したＲＦＩＤの読み取り記憶処理を行なう。
【００５３】
ＲＦＩＤの読み取りに先行して実行されるＩＤ格納用フォルダの選択処理について、図１０を参照して説明する。図１０は、本発明の情報処理装置の一例としての携帯情報端末１００が、外部から取得したＲＦＩＤを格納するフォルダを選択する際、表示部１０２に表示される表示画面の遷移を示す図である。
【００５４】
まず、メニュー画面４２１においてＲＦＩＤ読み取りを選択すると、表示画面４２２が示される。表示画面４２２は情報記憶部１０３に生成済みのフォルダ情報を提示する画面であり、表示画面４２２は家電情報フォルダに格納されたＲＦＩＤの名前が表示された例を示している。フォルダの切り替え処理も可能であり、切り替えにより、表示画面４２３が表示される。表示画面４２３は、情報記憶部１０３に生成済みのフォルダの１つであるレストランフォルダに格納されたＲＦＩＤの名前が表示された例である。
【００５５】
ユーザは、いずれかのフォルダを選択することで、表示画面４２４または表示画面４２５に進み、これらの画面において［はい］を操作することで、ＩＤの読み取り処理に移行し、先に図４を参照して説明した外部からのＲＦＩＤ取得、情報記憶部１０３に対する格納処理が実行されることになる。情報記憶部１０３に対する格納処理に際しては、選択したフォルダ内に対する格納処理が実行される。
【００５６】
次に、このようなフォルダ管理がなされ、情報記憶部１０３に格納されたＲＦＩＤを外部に出力する際の処理について、図１１〜図１３を参照して説明する。これは、外部のＲＦＩＤリーダなどに対して、携帯情報端末１００から特定のＲＦＩＤを選択出力する処理である。
【００５７】
ＩＤ出力処理に際しては、携帯情報端末１００の情報記憶部１０３に格納された複数の商品ＩＤから出力対象となるＩＤを選択して、ＲＦＩＤ出力部１０４の出力ＩＤ格納メモリ１０８に記憶させることがまず必要となる。図２の構成のように、複数の出力ＩＤ格納メモリ１０８−１〜ｎが在る場合は格納先を選択することも必要となる。図１１以下を参照して、複数の出力ＩＤ格納メモリ１０８−１〜ｎを有する構成におけるＲＦＩＤの選択出力処理の詳細について説明する。
【００５８】
図１２のメニュー画面５０１において、ＲＦＩＤ書き込みを選択すると、図１１のステップＳ３０１において、情報記憶部１０３に格納されたＩＤ情報格納フォルダ情報が表示部１０２に表示される。この表示画面が、図１２の表示画面５０２，５１２である。
【００５９】
表示画面５０２は情報記憶部１０３に生成済みのフォルダ情報を提示しており、家電情報フォルダに格納されたＲＦＩＤの名前が表示された例を示している。フォルダの切り替えにより表示される表示画面５１２は、情報記憶部１０３に生成済みのフォルダの１つであるレストランフォルダに格納されたＲＦＩＤの名前を示している。
【００６０】
ユーザはいずれかのフォルダを選択した後、図１１のフローのステップＳ３０２に進み、書き込み先の選択処理を実行する。書き込み先選択処理とは、図２に示す複数のＲＦＩＤ出力部１０４−１〜ｎ各々に対応する出力ＩＤ格納メモリ１０８−１〜ｎのいずれに出力するＩＤを格納するかを選択する処理である。
【００６１】
書き込み先選択処理においては、図１２の表示画面５０３，５１３に示すように、書き込み先として選択可能なメモリ、すなわち、出力ＩＤ格納メモリ１０８−１〜ｎの各々のメモリ状況が示される。メモリ状況は、
使用状況：メモリに既にＩＤが書き込まれた状態にあるか否か
情報名：メモリに書き込まれたＩＤが何のＩＤであるかの情報
書き込み日時：メモリにＩＤが書き込まれた日時情報
を含む情報である。
【００６２】
ユーザは、これらのメモリ情報を確認して、書き込み先を決定する。なお、メモリ情報としては、さらに、固定ＩＤが書き込まれ、ユーザによる書き換えを許容しないメモリであるとのメモリ情報や、任意に書き込み可能なメモリであるなどのメモリ情報など、様々な情報を含む構成としてもよい。
【００６３】
ステップＳ３０２において、表示画面３４２のメモリ情報に基づいてＩＤ書き込み先を決定すると、次に、ステップＳ３０３において、選択したメモリに対して書き込むＩＤを選択する。この処理ステップでは、図１２に示す表示画面５０４，５１４のようなＩＤリストが表示される。
【００６４】
表示画面５０４は選択フォルダが家電情報フォルダの場合の表示例であり、家電情報フォルダに格納済みのＲＦＩＤに対応付けられた名前がリストとして表示される。これは先に説明したようにユーザが入力ＩＤに対応付けて設定した名前である。表示画面５１４は選択フォルダがレストランフォルダの場合の表示例であり、レストランフォルダに格納済みのＲＦＩＤに対応付けられた名前がリストとして表示される。
【００６５】
ユーザは、図１２に示す表示画面５０４または表示画面５１４に表示されたＩＤリストから１つの名前を選択して決定ボタンを操作する。この処理が図１１のステップＳ３０４の書き込み指示の入力処理に相当する。
【００６６】
制御部１０１は、入力部１０５を介して入力された書き込みＩＤ選択指示情報および書き込み先指示情報に従って、情報記憶部１０３に格納されたＩＤを抽出し、抽出したＩＤデータを指示されたＩＤ出力部１０４−ｘの出力ＩＤ格納メモリ１０８−ｘに書き込み、格納する。
【００６７】
なお、ステップＳ３０５において書き込み失敗と判定された場合は、リトライを繰り返す。書き込みの成功が確認されると、ステップＳ３０６において、ＩＤ書き込み完了通知を行なう。ＩＤの書き込み完了通知処理は、表示部１０２に書き込み完了メッセージを表示するなどの処理によって行なわれる。
【００６８】
ＩＤ書き込みが完了すると、ステップＳ３０７において連続してＲＦＩＤ書き込み処理を行なうか否かの判定入力を受領し、その判定がＹｅｓの場合はステップＳ３０１以下の処理を繰り返し実行する。この繰り返し処理により、図２に示す複数のＲＦＩＤ出力部１０４−１〜ｎ各々に対応する出力ＩＤ格納メモリ１０８−１〜ｎにそれぞれユーザの選択したＩＤが順次格納されることになる。
【００６９】
ユーザによるＩＤ書き込み続行の否定入力がなされると、図１１のフローにおいて、ステップＳ３０７の判定がＮｏの判定となり、ステップＳ３０８で出力ＩＤ書き込み処理を終了する。
【００７０】
上述の処理によって図２に示す複数のＲＦＩＤ出力部１０４−１〜ｎ各々に対応する出力ＩＤ格納メモリ１０８−１〜ｎにそれぞれユーザの選択したＩＤが順次格納されると、その後、書き込みＩＤがＲＦＩＤ出力部１０４−１〜ｎから順次出力される。
【００７１】
本例においては、ユーザがＲＦＩＤ出力部１０４−１〜ｎ各々に対応する出力ＩＤ格納メモリ１０８−１〜ｎの詳細なメモリ情報を知ることができ、同じＩＤを重複して書き込んだり、他のＩＤが書き込まれたメモリに誤った他のＩＤを上書きしてしまうといった書き込みミスを防止することが可能となる。
【００７２】
次に、図１３を参照して、ＲＦＩＤ出力部１０４−１〜ｎ各々に対応する出力ＩＤ格納メモリ１０８−１〜ｎにそれぞれユーザの選択したＩＤが格納された後、出力するＩＤを順次選択して外部のリーダなどの情報処理装置に対して出力する処理について説明する。
【００７３】
ステップＳ３５１において、ユーザによる出力ＩＤの選択指示の待機状態に設定され、ステップＳ３５２において、制御部１０１がユーザによるＩＤの選択指示が入力部１０５を介して入力されたと判断すると、ステップＳ３５３に進む。出力ＩＤの選択指示とは、ＲＦＩＤ出力部１０４−１〜ｎ各々に対応する出力ＩＤ格納メモリ１０８−１〜ｎに格納されたＩＤのどのＩＤを出力するかを選択する指示情報である。
【００７４】
次に、ステップＳ３５３において、ユーザによるＩＤの出力指示の待機状態に設定され、ステップＳ３５４において、制御部１０１がユーザによるＩＤの出力指示が入力部１０５を介して入力されたと判断すると、ステップＳ３５５において、選択された出力ＩＤ格納メモリ１０８−ｚに格納された選択ＩＤがＩＤ出力部１０４−ｚから出力される。
【００７５】
さらに、ステップＳ３５６において続けてＩＤ出力を実行するか否かを判定させる。ユーザが入力部を介してＩＤ出力の継続を求める操作を実行すると、ステップＳ３５１に戻り、ステップＳ３５１以下の処理を繰り返し実行する。この処理により、ＩＤ出力部１０４−１〜ｎがユーザの意思によって順次、選択され、異なるＩＤを続けて出力することが可能となる。この構成においては、複数のＩＤ出力部１０４−１〜ｎの出力ＩＤ格納メモリ１０８−１〜ｎに複数のＩＤを予め書き込んでおくことが可能であるので、ＩＤ出力の際にＩＤの書き込み処理を省略して、連続して異なるＩＤ出力を実行することが可能となる。
【００７６】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、冒頭に記載した特許請求の範囲の欄を参酌すべきである。
【００７７】
なお、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【００７８】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【００７９】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【００８０】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【００８１】
以上、説明したように、本発明の構成によれば、記憶部に格納するＲＦＩＤに対して、数値、アルファベット、カナ漢字などユーザの選択した名前を設定してＩＤに対応付けて管理する構成としたので、例えば複数の異なるＲＦＩＤを記憶部に格納する場合に、効率的に必要なＩＤを選択して出力するなどの処理が可能となる。例えば、表示部に記憶部に格納したＲＦＩＤの名前情報からなるリストを表示し、リストに基づいてユーザが任意のＲＦＩＤを出力対象として選択するなどの処理が可能となる。
【００８２】
また、本発明の構成によれば、記憶部にフォルダを作成してフォルダ単位でのＲＦＩＤの記憶管理を行なう構成としたので、例えばカテゴリ別など、ユーザの理解しやすいフォルダを設定しＲＦＩＤの管理を行なうことで、必要なＩＤの検索、取得、出力を効率的に行なうことが可能となる。
【図面の簡単な説明】
【００８３】
【図１】本発明の情報処理装置の構成例１について説明する図である。
【図２】本発明の情報処理装置の構成例２について説明する図である。
【図３】本発明の情報処理装置としての携帯情報端末と外部の情報処理装置間で実行するＲＦＩＤ情報の送受信処理および外部の情報処理装置の構成について説明する図である。
【図４】本発明の情報処理装置におけるＩＤ情報の入力、記憶処理シーケンスについて説明するフロー図である。
【図５】本発明の情報処理装置におけるＩＤ情報の読み取り格納処理に際して記憶部に格納するＩＤリストの例を示す図である。
【図６】本発明の情報処理装置におけるＩＤ情報に対する名前付与処理シーケンスについて説明するフロー図である。
【図７】本発明の情報処理装置におけるＩＤ情報に対する名前付与処理に際して表示部に表示される画面の遷移について説明するフロー図である。
【図８】本発明の情報処理装置におけるＩＤ情報格納フォルダの構成例について説明する図である。
【図９】本発明の情報処理装置におけるＩＤ情報格納フォルダの生成処理シーケンスについて説明するフロー図である。
【図１０】本発明の情報処理装置におけるＩＤ情報の送信処理の事前処理として実行するＩＤ格納フォルダ選択処理について説明する画面遷移図である。
【図１１】本発明の情報処理装置におけるＩＤ情報の送信処理の事前処理として実行するＩＤ選択、メモリ書き込み処理シーケンスについて説明するフロー図である。
【図１２】本発明の情報処理装置におけるＩＤ情報の送信処理の事前処理として実行するＩＤ選択、メモリ書き込み処理において表示部に表示される表示画面例ついて説明する図である。
【図１３】本発明の情報処理装置におけるＩＤ情報の送信処理シーケンスについて説明するフロー図である。
【符号の説明】
【００８４】
１００  携帯情報端末（情報処理装置）
１０１  制御部
１０２  表示部
１０３  情報記憶部
１０４  ＩＤ出力部
１０５  入力部
１０６  ＩＤ入力部
１０７  通信部
１０８  出力ＩＤメモリ
２００  情報処理装置
２０１  ＣＰＵ
２０２  インタフェース
２０３  通信制御部
２０４  復調部
２０５  変調部
３０１〜３０９  表示画面
３２１，３２２  フォルダ
４０１〜４０３  表示画面
４２１〜４２５  表示画面
５０１〜５１４  表示画面
【図１】
2005322132.tif 000003
【図２】
2005322132.tif 000004
【図３】
2005322132.tif 000005
【図４】
2005322132.tif 000006
【図５】
2005322132.tif 000007
【図６】
2005322132.tif 000008
【図７】
2005322132.tif 000009
【図８】
2005322132.tif 000010
【図９】
2005322132.tif 000011
【図１０】
2005322132.tif 000012
【図１１】
2005322132.tif 000013
【図１２】
2005322132.tif 000014
【図１３】
2005322132.tif 000015